(57)【要約】【課題】  利き手にかかわらず操作者による操作を容易に行うことができる光学情報読取装置を提供する【解決手段】  光学情報読取装置１の本体２の各側面には検出部が設けられており、例えば左側面側が把持された場合は、検出部がそのことを検出して右利き仕様を設定する。これにより、第１撮像スイッチ６が有効化されるので、左手で第１撮像スイッチ６を操作すると、液晶表示部４の右側に入力キー１１が表示され、加工情報・入力項目部１２が左側に表示される。従って、右利きの操作者は、左手で光学情報読取装置１の左側面側を把持することにより、右手で入力キー１１に対して容易に入力操作を行うことができる。【選択図】  図４
2006209647.tif 000002
【特許請求の範囲】
【請求項１】
本体と、
この本体に設けられた撮像光学系と、
前記本体に設けられ、前記撮像光学系を介して画像を撮像するよう右手で操作される右利き用撮像スイッチ手段と、
前記本体に設けられ、前記撮像光学系を介して画像を撮像するよう左手で操作される左利き用撮像スイッチ手段と、
前記本体のいずれの側面が把持されたかを検出する検出手段と、
撮像された画像に関する情報を表示する表示手段と、
前記検出手段による検出結果に応じて、前記表示手段に右利き仕様の表示画面または左利き仕様の表示画面のいずれかを表示させる表示制御手段と、
前記検出手段による検出結果に応じて、前記右利き用撮像スイッチ手段または前記左利き用撮像スイッチ手段のいずれか一方のみを有効化させるスイッチ制御手段とを備えたことを特徴とする光学情報読取装置。
【請求項２】
前記検出手段は、右手または左手のいずれで前記本体の側面を把持したかを検出するように設けられ、
前記表示制御手段は、前記検出手段が右手で把持したと検出した場合には、前記右利き仕様の表示画面を表示させ、前記検出手段が左手で把持したと検出した場合には、前記左利き仕様の表示画面を表示させることを特徴とする請求項１記載の光学情報読取装置。
【請求項３】
前記検出手段は、右手または左手のいずれで前記本体の側面を把持したかを検出するように設けられ、
前記スイッチ制御手段は、前記検出手段が右手で把持したと検出した場合には、前記右利き用撮像スイッチ手段のみを有効化し、前記検出手段が左手で把持したと検出した場合には、前記左利き用撮像スイッチ手段のみを有効化させることを特徴とする請求項１または２記載の光学情報読取装置。
【請求項４】
前記本体の側面のいずれかの一面には、前記本体が把持された手より脱落するのを防止するための保持部が設けられ、
前記検出手段は、前記保持部に設けられた反射部と、前記保持部が設けられた前記本体の一側面に設けられた発光部および受光部とにより構成され、前記発光部からの光が前記反射部で反射して前記受光部に受光された場合は、前記保持部が設けられた前記本体の一側面は非把持状態にあることを検出することを特徴とする請求項１ないし３のいずれかに記載の光学情報読取装置。
【請求項５】
前記保持部は、前記本体のいずれの側面にも着脱可能に装着されていることを特徴とする請求項４記載の光学情報読取装置。
【請求項６】
前記本体のいずれかの側面に着脱可能に装着され、片手で把持可能な形状を有する把持部を備え、
前記検出手段は、前記把持部の前記本体への装着位置に基づいて、右手または左手のいずれで前記本体の側面が把持されたかを検出することを特徴とする請求項１ないし３のいずれかに記載の光学情報読取装置。
【請求項７】
前記検出手段は、近接した手による光量変化または静電容量変化を検出するものであることを特徴とする請求項１ないし６のいずれかに記載の光学情報読取装置。
【発明の詳細な説明】
【技術分野】
【０００１】
本発明は、撮像画像に関する情報を表示手段に表示する構成の光学情報読取装置に関する。
【背景技術】
【０００２】
近年、物流では、各商品の在庫管理或いは発注業務をバーコードで管理するようになっており、バーコードを光学情報読取装置で読取ることにより商品を管理するようにしている。
【特許文献１】特開平８−２３４６９３号公報
【特許文献２】特開２０００−３２２３８６号公報
【発明の開示】
【発明が解決しようとする課題】
【０００３】
ところで、この種の光学情報読取装置の小型化が望まれており、デジタルカメラのように小型の箱形状で、前面に撮像レンズを備えると共に、後面に液晶表示部を備えたものが考えられている。
【０００４】
しかしながら、光学情報読取装置をデータ収集・集計用と構成した場合、一方の手で光学情報読取装置を持って撮像スイッチを操作した後、他方の手で入力キーから例えば商品の個数を入力するような業務があり、このような業務に小型の光学情報読取装置を使用したことを想定すると、右利きの操作者は、左手で光学情報読取装置を把持した状態で撮像スイッチを操作してから、右手で入力キーを操作した方が使い勝手が良く、左利きの操作者は、右手で光学情報読取装置を把持し、左手で入力キーを操作した方が使い勝手が良いものの、情報の表示位置或いは情報入力部が固定されている場合は、利き手によって操作が行い難い場合がある。
【０００５】
公知技術として、以下のような技術が提案されているものの、各々使いづらい点があり、上述した課題を解決したものは提供されていないのが実情である。
特許文献１のものは、スイッチの切り替え等で、右利き（左利き）用に画面を切り替えるようにしているが、電源投入後、操作者が右利き（左利き）から左利き（右利き）に変わる毎にスイッチ切り替えが必要となり、すぐには使用できない。
特許文献２のものは、端末を持った手の指を端末上の判定スイッチで検出し、右利き（左利き）用に画面を切り替えるようにしているが、操作者が右利き（左利き）から左利き（右利き）に変わる毎にスイッチ切り替えが必要となり、その操作が面倒である。
【０００６】
本発明は上記事情に鑑みてなされたもので、その目的は、利き手にかかわらず操作者による操作を容易に行うことができる光学情報読取装置を提供することにある。
【課題を解決するための手段】
【０００７】
請求項１の発明によれば、操作者が光学情報読取装置で情報を読取るために、本体の側面を把持すると、検出手段が何れの側面が把持されたかを検出する。これにより、撮像スイッチ手段は一方が有効化されると共に、表示手段には右利き用の表示画面または左利き用の表示画面が表示されるので、操作者は、利き手に応じて撮像スイッチ手段を操作したり、表示手段による表示を確認したりすることができる。
請求項２の発明によれば、本体を把持した手と反対の手を利き手として表示画面の仕様が制御されるので、本体を把持した利き手ではない手による把持に邪魔されることなく表示画面を確認することができる。
請求項３の発明によれば、本体を把持した手と反対の手を利き手として撮像スイッチ手段が制御されるので、利き手で撮像スイッチ手段を容易に操作することができる。
【０００８】
請求項４の発明によれば、本体の側面と保持部の裏面との間を検出領域とすることができるので、保持部の内側に位置して本体の側面を把持する手を確実に検出することができる。
請求項５の発明によれば、保持部を本体の側面に着脱可能に装着することができるので、１つの保持部のみで実施することができ、コストを低減することができる。
請求項６の発明によれば、本体の側面への把持部の装着位置に基づいて右手または左手のいずれで本体の側面を把持したかを検出するようにしたので、手を検出したり、保持部を検出したりする構成に比較して、検出手段による検出を一層確実とすることができる。
【発明を実施するための最良の形態】
【０００９】
（第１実施例）
以下、本発明の第１実施例について図１ないし図６を参照して説明する。図１に示すように、光学情報読取装置１の外観は基本的にはデジタルカメラと同一であり、略箱状の本体２の正面に撮像レンズ（撮像光学系に相当）３が設けられ、本体２の後面には液晶表示部４（図３参照）が設けられている。また、本体２内にはＣＣＤを主体とする読取部５（図２参照）が配設されており、撮像レンズ３で撮像したコードをＣＣＤ上に結像させることにより、コードを読取るようになっている。
【００１０】
液晶表示部４は、読取部５で撮像されたコードを表示したり、コードから読取ったデータを表示したりするものである。また、液晶表示部４はタッチパネル４ａ（図２参照）を構成しており、必要に応じて入力キーを表示することにより、入力キーに対する操作が可能となっている。
【００１１】
本体２の上面には、本体２の後面から見て左側に第１撮像スイッチ（左利き用撮像スイッチ手段に相当）６及び右側に第２撮像スイッチ（右利き用撮像スイッチ手段に相当）７が設けられている。第１撮像スイッチ６は、光学情報読取装置１の左側面が左手で把持された場合に人差し指による操作が容易な位置に設けられ、第２撮像スイッチ７は、光学情報読取装置１の右側面が操作者の右手で把持された場合に人差し指による操作が容易な位置に設けられている。
【００１２】
本体２の左側面２ａにはフォトセンサからなる第１検出部（検出手段に相当）８が設けられ、右側面２ｂにはフォトセンサからなる第２検出部（検出手段に相当）９が設けられている。これらの検出部８，９は、本体２の側面側が手で把持された状態で覆われることにより遮光されることで、把持された側を検出する。
【００１３】
図２は、光学情報読取装置１の電気的構成を概略的に示している。この図２において、制御部（表示制御手段、スイッチ制御手段に相当）１０は、撮像スイッチ６，７の何れかが操作されたときは、読取部５から画像信号を入力し、その画像信号に基づいてコードを解読して液晶表示部４に表示したり、アプリケーションに応じて解読データに対応する商品名或いは部品名を液晶表示部４に表示するデータ処理を実行したりする携帯端末の機能を備えている。また、制御部１０は、アプリケーションに応じて液晶表示部４に入力キーを表示し、その入力キーに対する操作信号を入力するようになっている。
【００１４】
電源を投入し、例えば右利きの操作者が右手による情報入力に備えて光学情報読取装置１の左側面を左手で把持した場合は、第１検出部８が左手で覆われることから、当該第１検出部８からの検出信号レベルが閾値を下回るようになる。
制御部１０は、第１検出部８からの信号レベルが閾値を下回った場合は、左手で把持されたと判断し、第１撮像スイッチ６を有効とする。
【００１５】
そして、操作者が読取対象の２次元コードが読取領域に位置するように光学情報読取装置１を位置させた状態で左手の人差し指により第１撮像スイッチ６を操作すると、制御部１０は、読取部５により撮像した２次元コードが示す情報を読取り、液晶表示部４の右側に入力キー１１を表示すると共に、その読取情報を加工した加工情報・入力項目部１２を液晶表示部４の左側に表示するので、必要な情報、例えば個数を入力キー１１に対するタッチ操作により入力したり、表示された複数の商品の中から所望の商品を選択したりすることができる。
この場合、液晶表示部４において入力キー１１（右利き仕様の表示画面）が表示される部位は右側であることから、光学情報読取装置１を左手で把持した状態では、操作者は、利き手である右手により入力キー１１に対するタッチ操作を容易に行うことができる。
【００１６】
また、左利きの操作者が光学情報読取装置１を右手で把持した場合は、第２検出部９が右手で覆われ、第２検出部９からの検出信号レベルが閾値を下回ることから、制御部１０は、右手で把持されたと判断し、第２撮像スイッチ７を有効とした上で、図５に示すように液晶表示部４の左側に入力キー１１（左利き仕様の表示画面）を表示すると共に、液晶表示部４の右側に加工情報・入力項目部１２を表示する。従って、光学情報読取装置１を右手で把持した状態では、第２撮像スイッチ７に対する操作のみが許可されると共に、左手による液晶表示部４に対するタッチ操作を容易に行うことができる。
【００１７】
一方、光学情報読取装置１に搭載されたアプリケーションによっては情報入力が不要な場合があり、このような場合、制御部１０は、第１検出部８の検出状態では、図６に示すように加工情報・入力項目部１２を液晶表示部４の右側に表示し、第２検出部９の検出状態では、加工情報・入力項目部１２を液晶表示部４の左側に表示する。
【００１８】
このような実施例によれば、光学情報読取装置１の本体２の左側面２ａ，２ｂに、何れの側面側が把持されたかを検出する検出部８，９を設け、それらの検出部８，９の検出結果に基づいて液晶表示部４の入力キー１１の表示位置を変更すると共に、撮像スイッチ６，７のいずれかを有効にしたので、光学情報読取装置１を利き手と異なる手で把持した状態で撮像スイッチ６を間違いなく操作することができると共に、利き手による情報入力操作を容易に行うことができる。
しかも、液晶表示部４において、光学情報読取装置１を保持した手と反対側に情報入力するための入力キー１１を自動で表示するので、操作者の事前準備等の負担を軽減することができる。
【００１９】
（第２実施例）
次に、本発明の第２実施例について図７を参照して説明するに、第１実施例と同一部分には同一符号を付して説明を省略する。この第２実施例は、本体２に落下防止用の保持部を着脱自在に装着したことを特徴とする。
本体２の両側面にはアーチ形状の保持部１３がそれぞれ取付けられている。この保持部１３は、例えば弾性変形可能な硬質ゴムからなり、手から光学情報読取装置１が落下してしまうことを防止するために本体２の装着されている。
【００２０】
本体２の側面には、発光部及び受光部（図示せず）を有した第１検出部８及び第２検出部９がそれぞれ設けられている。また、保持部１３の内側においてそれらの検出部８，９と対向する部位に反射テープからなる反射部１４が貼付されており、発光部からの光は反射部１４で反射して受光部で受光されるようになっている。
【００２１】
さて、右利きの操作者が左手で光学情報読取装置１を把持した場合は、本体２の左側面２ａに装着された保持部１３の反射部１４が左手で覆われ、第１検出部８が受光する光が閾値を下回るので、左手で保持されたと判断し、右利き仕様を設定する。従って、第１撮像スイッチ６が有効化されると共に、液晶表示部４の左側に光学情報読取装置１による撮像した２次元コードの情報と入力項目が表示され、右側に入力キー１１が表示されるので、利き手の右手により必要な情報を容易に入力することができる。
【００２２】
また、左利きの操作者が右手で光学情報読取装置１を把持した場合は、本体２の右側面２ｂに装着された保持部１３の反射部１４が右手で覆われ、第２検出部９が受光する光が閾値を下回るので、右手で把持されたと判断し、左利き仕様を設定する。従って、第２撮像スイッチ７が有効とされると共に、液晶表示部４の右側に撮像した２次元コードの情報と入力項目が表示され、左側に入力キー１１が表示されるので、利き手の左手により必要な情報を容易に入力することができる。
【００２３】
このような実施例によれば、本体２の側面を把持する手を検出する検出部として反射形の光センサを用い、保持部１３との間を検出領域とするようにしたので、検出部から比較的近い領域が検出領域である第１実施例のものと違って、手の検出性能を高めることができる。
また、アーチ形状の保持部１３を弾性効果のある材質、或いは形状とすることにより、光学情報読取装置１が落下した場合であっても、光学情報読取装置１を保護することが可能となる。
【００２４】
（第３実施例）
次に、本発明の第３実施例について図８を参照して説明する。この第３実施例は、保持部１３を本体２の何れの側面２ａ，２ｂにも取付け可能としたことを特徴とする。
光学情報読取装置１を斜視して示す図８において、本体２の側面２ａ，２ｂには被装着部１５が形成されており、その被装着部１５に保持部１３を装着可能となっている。また、液晶表示部４の初期画面として右利き仕様を設定し、検出部８，９の検出状態に応じて対応する仕様の画面を表示する。
このような実施例によれば、１つの保持部１３で実施することができるので、構成を簡単化してコストの低減を図ることができると共に、全体が大型化してしまうことを防止できる。
【００２５】
（第４実施例）
次に、本発明の第４実施例について図９ないし図１２を参照して説明する。この第４実施例は、本体２の側面に操作者により把持される把持部を脱着可能に装着したことを特徴とする。
図９に示すように、本体２の側面には把持部１６が装着されている。この把持部１６は、本体２の側面の前後方向の幅よりも幅広で、手で把持しやすい形状をなしており、その上下面には、第１撮像スイッチ１７及び第２撮像スイッチ１８が設けられている。これらの撮像スイッチ１７，１８は、把持部１６が本体２に装着された状態で、上側に位置する撮像スイッチが把持部１６を把握する手の人差し指により操作し易い位置に設けられている。
【００２６】
本体２の断面を模式的に示す図１０において、把持部１６の側面には本体２に対する連結部を兼用するコネクタ１９が設けられており、把持部１６が本体２の側面に装着された状態で、コネクタ１９が本体２に設けられたコネクタ２０に連結されることにより把持部１６が本体２に支持されると共に、コネクタ１９を通じて第１，第２撮像スイッチ１７，１８からの信号が本体２内に設けられた制御部１０に出力可能となる。また、把持部１６の側面には突起部２１が設けられており、把持部１６が本体２の側面に装着された状態で、その突起部２１が本体２内に設けられたフォトセンサ２２により検出されるようになっている。尚、このような把持部１６の機械的な検出に代えて、電気的に組付けを検出するようにしてもよい。
一方、液晶表示部４の下方には、図１１に示すように入力キー２３が設けられている。
【００２７】
さて、右利きの操作者が左手で光学情報読取装置１を把持する場合は、把持部１６を図１１に示すように光学情報読取装置１の左側面２ａに組付ける。すると、光学情報読取装置１の制御部１０が把持部１６の装着位置を検出し、右利き仕様を設定する。つまり、左手人差し指に近い側の第１撮像スイッチ１７を有効とすると共に、反対側の第２撮像スイッチ１８を無効とする。
そして、操作者が第１撮像スイッチ１７を押すと、液晶表示部４の右側に加工情報・入力項目１２が表示されるので、液晶表示部４に表示される情報を左手で邪魔されることなく確認することができる。
【００２８】
また、右手で光学情報読取装置１を把持する場合は、図１２に示すように把持部１６を光学情報読取装置１の右側面２ｂに組付ける。すると、制御部が把持部１６の装着位置を検出し、右手人差し指に近い側の第２撮像スイッチ１８を有効とすると共に、反対側の第１撮像スイッチ１７を無効とする。
そして、操作者が第２撮像スイッチ１８を押すと、読取部５に撮像された画像が撮像され、液晶表示部４の左側に加工情報・入力項目１２が表示されるので、液晶表示部４に表示される情報を右手で邪魔されることなく確認することができる。
【００２９】
このような実施例によれば、本体２に把持部１６を装着可能に設け、本体２に装着された把持部１６の装着位置に基づいて右利き仕様或いは左利き仕様を設定するようにしたので、本体の両方の側面を握り易い形状とする構成に比較して、光学情報読取装置１が大型化してしまうことを防止できる。
また、把持部１６に右利き仕様或いは左利き仕様に応じて有効となる撮像スイッチ１７，１８を設けるようにしたので、把持部１６に第１，第２撮像スイッチ１７，１８を設けながら、撮像スイッチ１７，１８に対する誤操作を確実に防止できる。
【００３０】
尚、撮像スイッチ１７，１８を、図１３に示すように把持部１６の裏面側に設けるようにしてもよい。この場合、撮像スイッチ１７，１８に対する操作は把持部１６を把持した親指で操作するもので、図１３に示すように本体２の左側面２ａに把持部１６を装着した場合は、下側の第１撮像スイッチ１７を有効とし、上側に位置する第２撮像スイッチ１８を無効とする。
【００３１】
本発明は、上記各実施例に限定されることなく、次のように変形または拡張できる。
液晶表示部４において利き手仕様に応じた位置に撮像スイッチを表示し、その撮像スイッチがタッチされたときに、読取動作を実行するようにしてもよい。
光学情報読取装置１にファインダーを設けるようにしてもよい。
光学情報読取装置１の撮像レンズ３をオートフォーカスとしてもよい。
【図面の簡単な説明】
【００３２】
【図１】本発明の第１実施例における光学情報読取装置の正面側からの斜視図
【図２】光学情報読取装置の電気的構成を示すブロック図
【図３】右利き仕様での表示状態を示す光学情報読取装置の背面側からの斜視図
【図４】撮像画像の表示状態を示す図３相当図
【図５】左利き仕様で示す図４相当図
【図６】異なる表示で示す図３相当図
【図７】本発明の第２実施例を示す図１相当図
【図８】本発明の第３実施例を示す図１相当図
【図９】本発明の第４実施例を示す図１相当図
【図１０】光学情報読取装置の構造を模式的に示す縦断正面図
【図１１】右利き仕様での表示状態を示す図３相当図
【図１２】左利き仕様での表示状態を示す図１相当図
【図１３】変形例を示す図３相当図
【符号の説明】
【００３３】
図面中、１は光学情報読取装置、２は本体、３は撮像レンズ（撮像光学系）、４は液晶表示部、６は第１撮像スイッチ（左利き用撮像スイッチ手段）、７は第２撮像スイッチ（右利き用撮像スイッチ手段）、８は第１検出部（検出手段）、９は第２検出部（検出手段）、１０は制御部（表示制御手段、スイッチ制御手段）、１１は入力キー、１３は保持部、１４は反射部、１６は把持部である。
【図１】
2006209647.tif 000003
【図２】
2006209647.tif 000004
【図３】
2006209647.tif 000005
【図４】
2006209647.tif 000006
【図５】
2006209647.tif 000007
【図６】
2006209647.tif 000008
【図７】
2006209647.tif 000009
【図８】
2006209647.tif 000010
【図９】
2006209647.tif 000011
【図１０】
2006209647.tif 000012
【図１１】
2006209647.tif 000013
【図１２】
2006209647.tif 000014
【図１３】
2006209647.tif 000015